(57)【要約】【課題】片手で迅速に洗濯物を固定することができ、また、片手で引っ張るだけで容易に洗濯物を取り込むことができ、網状格子から洗濯物を固定する部品が容易に脱着できる構造を有することを特徴とする差し込み型物干し具を提供する。【解決手段】多数の格子枠が網状に形成された物干し具において、任意の前記格子枠に自由に装着ができ弾性を有する素材を用いて成形された平盤状の差込部品が備わる。この差込部品の上面および下面を構成して一対が設けられ、一個の前記格子枠の外辺間の長さよりも長い平盤周縁部と、これら上および下の平盤周縁部を連結して内周側に形成される連結部と、この連結部の外側に形成され、前記格子枠の太さよりも深い窪みが周回して設けられた凹状周回装着部と、連結部内側を通って差し込まれた洗濯物の端を挟み押える押さえ部を設けたことを特徴とする差し込み型物干し具。【選択図】図１
2013220338.tif 000002
【特許請求の範囲】
【請求項１】
多数の格子枠が網状に形成された物干し具において、任意の前記格子枠に自由に装着ができ弾性を有する素材を用いて成形された平盤状の差込部品と、この差込部品の上面および下面を構成して一対が設けられ、一個の前記格子枠の外辺間の長さよりも長い平盤周縁部と、これら上および下の平盤周縁部を連結して内周側に形成される連結部と、この連結部の外側に形成され、前記格子枠の太さより深い窪みが周回して設けられた凹状周回装着部と、連結部内側を通って差し込まれた洗濯物の端を挟み押える押さえ部と、を有することを特徴とする差し込み型物干し具。
【発明の詳細な説明】
【技術分野】
【０００１】  本発明は、洗濯物を干す際、ピンチで挟んで止める代わりに、差し込んで止める差し込み型物干し具に関するものである。
【背景技術】
【０００２】  従来、物干し具は、ピンチにより洗濯物を挟むものが主流であり、洗濯物を干す際、または取り込む際は両手を使わなければならなかった。【０００３】  また、ピンチを広げて洗濯物を挟まなければならなかった為、指の力の弱い子供もしくは高齢者、または片手が不自由な怪我人もしくは身体的に障害を持つ人には不便であった。【０００４】  また、使用しないときは、従来の一般的な物干し具は折りたたむことができるものの、ピンチ同士が絡まってしまい、その収納性は優れなかった。【０００５】  また、従来の物干し具のピンチは、枠体に不可逆的に固定されているため、使用に合わせて数量や位置を変えることができず、また、劣化しても容易に交換することができなかった。【０００６】  また、ピンチは枠体そのものに固定にされているため、枠体のないスペースに洗濯物を固定することはできなかった。【０００７】  これまでにも、洗濯物を迅速に取り外すことができるピンチ（特許文献１参照）、ピンチを使用しない物干し具（特許文献２〜７参照）が知られている。
【先行技術文献】
【０００８】
【特許文献１】特開平１０−０５２５９７号公報
【特許文献２】実開昭４７−０２８２２７号公報
【特許文献３】実開昭４７−００２３３３号公報
【特許文献４】実開昭５３−１２４１３４号公報
【特許文献５】特開２００１−０４６７９７号公報
【特許文献６】特開２００９−１６５７５０号公報
【特許文献７】特開２００９−１９５４４８号公報
【発明の概要】
【発明が解決しようとする課題】
【０００９】  特許文献１に記載されているようなピンチは、迅速に洗濯物を取り外すことはできるものの、洗濯物を固定する際にはピンチを広げなければならず、また、両手を使わなければならなかった。また、収納性も優れなかった。【００１０】  また、特許文献２および３に記載されているような物干し具は、ピンチの代用として挟み具（ハサミ）を使用しているため、洗濯物を固定する際には両手を使わなければならなかった。【００１１】  また、特許文献４に記載されているような物干し具は、ピンチの代用として本体の切り溝に直接挟んで留めたり吊るしたりして干すため、洗濯物を傷つける可能性があった。【００１２】  また、特許文献５に記載されているような物干し具は、ピンチの代用として固定部に球体またはローラー体を使用し、洗濯物を取り外す際は物干し具を本体ごと物干し竿等から取り外し、フレーム体の一部に軽い衝撃を与えることによって洗濯物を一気に落下させるというものだが、干す時に洗濯物を固定するための動作が微妙かつ複雑な手順を必要とし、気楽に使えなかった。また、部品点数が多く、構造が複雑であるため、コスト高も懸念された。【００１３】  また、特許文献６に記載されているような物干し具は、謳い文句とは逆に、かなり複雑な構造になっており、コスト高が懸念され、また、ピンチの代用として枠体に不可逆的に固定された回動可能なフック部を用いているため、回動する部分が摩耗した場合、フック部だけを容易に交換することもできなかった。【００１４】  また、特許文献７に記載されているような物干し具は、リング内周部には洗濯物を固定する箇所がないため、スペースを有効に利用して洗濯物を固定させることができなかった。【００１５】  本発明は以上の問題点を解決するためになされたものである。
【課題を解決するための手段】
【００１６】  多数の格子枠が網状に形成された物干し具において、任意の前記格子枠に自由に装着ができ弾性を有する素材を用いて成形された平盤状の差込部品が備わる。この差込部品の上面および下面を構成して一対が設けられ、一個の前記格子枠の外辺間の長さよりも長い平盤周縁部と、これら上および下の平盤周縁部を連結して内周側に形成される連結部と、この連結部の外側に形成され、前記格子枠の太さよりも深い窪みが周回して設けられた凹状周回装着部と、連結部内側を通って差し込まれた洗濯物の端を挟み押える押さえ部を成す。
以上を特徴とする差し込み型物干し具である。
【発明の効果】
【００１７】  （イ）差込部品に洗濯物の一部を差し込むだけであるため、片手で迅速に洗濯物を固定        することができ、また、片手で引っ張るだけで容易に洗濯物を取り込むことがで        きる。
（ロ）ピンチを広げて洗濯物を挟む必要がないため、指の力が弱い子供もしくは高齢者        、または片手が不自由な怪我人もしくは身体障害を持つ人にも容易に使用するこ        とができる。
（ハ）ピンチを使用していないため、収納時にピンチ同士が絡まらず、また全体に平型        であるため、収納性が優れている。
（ニ）差込部品は、その素材が弾性体であり、窪みにより格子枠に填め込まれ、弾性変        形により格子枠から脱着する形態を有することから、差込部品が劣化した場合、        容易に交換することができる。
（ホ）差込部品は、網状格子の任意の格子枠にも装着することができるため、使用目的        に応じて差込部品の数量を変更することができ、また、使用者が使いやすい格子        枠に、スペースを有効に利用して差込部品を装着させることができる。
（ヘ）差込部品の素材を弾性体にすることにより、洗濯物を傷つけることなく、安定し        て洗濯物を固定することができる。
（ト）差込部品、網状格子および本発明を物干し竿等に固定する部品からなるシンプル        な構造であるため、製造コストを抑えることができる。
【図面の簡単な説明】
【００１８】
【図１】本発明の斜視図
【図２】本発明の正面図
【図３】本発明を垂直にしたときの状態を示す側面図
【図４】本発明の一部である差込部品が格子枠に装着された状態を示す平面図
【図５】本発明の一部である差込部品の側面図
【図６】本発明の一部である差込部品を図４のＡ−Ａで切断した断面図
【図７】本発明の一部である差込部品が弾性変形により格子枠から脱着する状態のイメージを示す断面図
【図８】本発明の一部である差込部品に洗濯物が差し込まれた状態のイメージを示す断面図
【発明を実施するための形態】
【００１９】  以下、本発明の実施の形態を説明する。
多数の格子枠（１）が網状に形成された物干し具において、任意の前記格子枠（１）に自由に装着ができ弾性を有する素材を用いて成形された平盤状の差込部品（２）が備わる。この差込部品（２）の上面および下面を構成して一対が設けられ、一個の前記格子枠（１）の外辺間の長さよりも長い平盤周縁部（３）と、これら上および下の平盤周縁部（３）を連結して内周側に形成される連結部（４）と、この連結部（４）の外側に形成され、前記格子枠（１）の太さよりも深い窪み（５）が周回して設けられた凹状周回装着部（５）と、連結部（４）内側を通って差し込まれた洗濯物（１０）の端を挟み押える押さえ部（６）を成す。
本発明は以上のような構造である。
本発明を使用するとき、本発明を吊り掛け紐または鎖（７）に繋がれたフック（８）により、物干し竿（９）等に固定する。使用者は、親指等で洗濯物（１０）の一部を差込部品（２）に差し込んで押さえ部（６）に固定させる。差込部品（２）から洗濯物（１０）を外すときは下方に引っ張る。差込部品（２）を格子枠（１）から脱着する際には平盤周縁部（３）および連結部（４）を弾性変形させる。
【００２０】  図示するフック（８）には、引掛け部（１１）を設けている。これは、洗濯物（１０）を差込部品（２）に固定する際、使用者が必要に応じてフック（８）の引掛け部（１１）に格子枠（１）を引掛けて垂直状態にし、洗濯物（１０）を差込部品（２）に差し込みやすくするために設けている。
【実施例】
【００２１】  以下、実施例を挙げて本発明について、更に詳しく説明する。
【実施例】
【００２２】  四角形状の格子枠（横約３．５ｃｍ×縦約３．５ｃｍ×太さ約０．３ｃｍ）で構成されるスチール製の四角形状の網状格子（横約２７．０ｃｍ×縦約３５．０ｃｍ）、合成ゴム製の円形状の差込部品（上面および下面の平盤周縁部外径約４．０ｃｍ、連結部の外径約３．２ｃｍ、厚さ約１．２ｃｍ（凹状周回装着部の深さ約０．４ｃｍ）、押さえ部の厚さ約０．２ｃｍ）ならびにプラスチック製のフックおよび鎖で構成される差し込み型物干し具を実施例とした。実施例の差込部品の押さえ部は、平盤周縁部中央から放射状に８本の直線が切り込まれた形状とした。【００２３】  実施例の差込部品に洗濯物（フェイスタオル３枚、靴下３足、ズボン１枚およびＴシャツ１枚）を固定した。この際、靴下１枚は１個の差込部品で、靴下以外の洗濯物は２個の差込部品で各々固定した。これを、天気が晴れ時々曇り、気温が約１４〜２０℃、湿度が約３８〜４２％および風速が約４〜８ｍの環境下で物干し竿にフックで固定して約６時間干した結果、洗濯物は風に飛ばされることなく、安定して固定されることを確認した。また、差込部品に固定された部分を含め、すべての洗濯物は傷つくことなく、十分乾いていることを確認した。【００２４】（他の実施形態）
以上、本発明の実施例について説明したが、上述した実施例の実施形態は本発明の一例であり、本発明はこれに限定されるものではない。【００２５】  例えば、差込部品や格子枠の形状は円形や四角形にこだわる必要はなく、差込部品が格子枠に安定的かつスムーズに付け外しできるのであれば、それぞれ三角形、五角形、六角形等の型であってもよく、また、ハート型や花型、もしくはキャラクターの輪郭型等、使用者の見た目を楽しませるものであってもよい。【００２６】  また、差込部品の押さえ部は、中央から放射状に直線が切り込まれた形状に限定する必要はなく、洗濯物の一部を安定して固定できれば、曲線的な放射状、波状またはぎざぎざ状等に切り込まれた形状であってもよい。
【符号の説明】
【００２７】１  格子枠
２  差込部品
３  平盤周縁部
４  連結部
５  凹状周回装着部
６  押さえ部
７  吊り掛け紐または鎖
８  フック
９  物干し竿
１０  洗濯物
１１  引掛け部
【図１】
2013220338.tif 000003
【図２】
2013220338.tif 000004
【図３】
2013220338.tif 000005
【図４】
2013220338.tif 000006
【図５】
2013220338.tif 000007
【図６】
2013220338.tif 000008
【図７】
2013220338.tif 000009
【図８】
2013220338.tif 000010